(57)【要約】【課題】側面板や背面板を確実に固定し、密閉性の良い金属棚を組み立てることができる支柱を提供する。【解決手段】金属板から成る断面略四角形の中空柱状の金属棚用支柱１０において、上記断面略四角形の一辺から内部に向かう凹部１１を有し、該凹部の先端部分１２が膨出している。このため、図２（Ａ）に示すように、凹部１１（長手方向に見れば、溝）の入口付近の幅よりもやや大きい板材１３（側面板、背面板等）をその凹部１１（溝）に差し込むと、入口付近が膨出部１２のスプリング作用により板材１３を両側から挟み込み、板材１３を確実に把持する。これにより、板材１３がガタつくことなく、また、棚内部の密閉性が確保される。図２（Ｂ）のように、薄板材１４の端部を折り返すことにより厚みを大きくし、凹部１１に確実に把持されるようにしてもよい。【選択図】  図２
2004154342.tif 000002
【特許請求の範囲】
【請求項１】
金属板から成る断面略四角形の中空柱状の金属棚用支柱において、上記断面略四角形の一辺から内部に向かう凹部を有し、該凹部の先端部分が膨出していることを特徴とする金属棚用支柱。
【請求項２】
上記膨出部が略円形であることを特徴とする請求項１に記載の金属棚用支柱。
【請求項３】
上記断面略四角形の他の辺の内部に、連接用ブリッジを固定するためのナットを固定したことを特徴とする請求項１又は２に記載の金属棚用支柱。
【請求項４】
平行に立設された２枚の側面板の間に掛け渡された上下２枚の棚板の間の空間の前面を開閉する跳ね上げ式収納扉機構であって、
ａ）上棚板の下面の両側辺にそれぞれ設けられた、開口が内側に向けられ、前端においてやや下方に垂下された回転受け部を有する断面コの字状のレールと、
ｂ）上記両レール内をそれぞれ走行するローラを後端両側に備えた扉板と、
を備えることを特徴とする金属棚用跳ね上げ式収納扉機構。
【発明の詳細な説明】
【０００１】
【発明の属する技術分野】
本発明は、収納棚、展示棚等に用いる金属棚の支柱及び扉機構に関する。
【０００２】
【従来の技術】
家庭や店舗、公共用施設等で用いられている書棚、収納棚、植木棚、展示棚等には、金属製（主にスチール製）のものが多く用いられている。金属棚は、その場において組み立て可能であるように設計されているものが多く、そのセットには、支柱、側面板、背面板、棚板や、それらを固定するためのネジ、止具等の部品が含まれている。
【０００３】
従来のこのような組み立て式金属棚の支柱には、単なる中空柱状のものの他、側面板や背面板を差し込むための溝（スロット）を設けたものが知られている。
【０００４】
一方、上下の棚板の間の空間の前面に設ける扉は、収納物を塵埃等から保護し、金属棚の見栄えを良くするために、多くの利用者から望まれるものである。特に、扉を開いた後、それを金属棚の中に収納する収納扉は、扉を開放した時の見栄えも良いことから利用者に人気がある。しかし、開いた扉を収納するためには複雑な機構が必要となり、部品数が多くなるとともに組み立ても難しいものとなる。そのため、従来の金属棚では、工場において、扉を開閉するための機構の大部分を側面板や棚板に固定し、ユーザーが金属棚を組み立てる際には扉を付けさえすればよいようにする等の方法が取られていた。
【０００５】
【発明が解決しようとする課題】
上記従来の金属棚用支柱は、単純な溝を有するのみであるため、側面板や背面板を固定する力が十分ではなく、側面板や背面板がガタつくことがあった。これは商品価値を損なうばかりでなく、密閉性が悪いことから、折角扉を設けても塵埃等の内部への侵入を許す原因となっていた。
【０００６】
また、上記の通り、従来の金属棚の収納扉機構は側面板や棚板に固定されていたため、組み立て式金属棚の大きな特徴である、利用者によるレイアウトの大きな自由度が損なわれるという問題があった。
【０００７】
本発明はこれらの課題を解決するために成されたものであり、その第１の目的は、側面板や背面板を確実に固定し、密閉性の良い金属棚を組み立てることができる支柱を提供することにある。また、本発明の第２の目的は、棚等の組み立てのレイアウトの自由度を損なうことがなく、また、ユーザーが自分自身で組み立てることの可能な収納扉機構を提供することにある。
【０００８】
【課題を解決するための手段】
上記第１の目的を達成するために成された第１の発明は、金属板から成る断面略四角形の中空柱状の金属棚用支柱において、上記断面略四角形の一辺から内部に向かう凹部を有し、該凹部の先端部分が膨出していることを特徴とするものである。
【０００９】
また、上記第２の目的を解決するために成された第２の発明は、平行に立設された２枚の側面板の間に掛け渡された上下２枚の棚板の間の空間の前面を開閉する跳ね上げ扉機構であって、
ａ）上棚板の下面の両側辺にそれぞれ設けられた、開口が内側に向けられ、前端においてやや下方に垂下された回転受け部を有する断面コの字状のレールと、
ｂ）上記両レール内をそれぞれ走行するローラを後端両側に備えた扉板と、
を備えることを特徴とするものである。
【００１０】
【発明の実施の形態及び効果】
第１発明に係る支柱の素材金属は、典型的にはスチール（鋼）であるが、アルミやジュラルミン等でもよい。支柱は、アルミ等では押し出し成形したものでもよいが、板材を曲げ成形して作製する方が、コスト的に有利である。特に、スチール薄板を曲げ成形するのが、最も望ましい。曲げ成形でこのような断面形状を作製した場合には、継ぎ目（シーム）部分を溶接により固定しておくことが望ましい。
【００１１】
第１発明に係る支柱の大きな特徴は、断面において内部に向かう凹部の先端部分が膨出していることである。そのような支柱の一例を図１に示す。このため、図２（Ａ）に示すように、凹部１１（長手方向に見れば、溝）の入口付近の幅よりもやや大きい板材１３（側面板、背面板等）をその凹部１１（溝）に差し込むと、入口付近が膨出部１２のスプリング作用により板材１３を両側から挟み込み、板材１３を確実に把持する。これにより、板材１３がガタつくことなく、また、棚内部の密閉性が確保される。図２（Ｂ）に、端部を折り返すことにより厚みを大きくし、凹部１１に確実に把持されるようにした薄板材１４を差し込む例を示す。
【００１２】
膨出部１２は、支柱１０の曲げ強度を上昇させるという効果も有する。これにより、同程度の負荷に耐える金属棚であっても、従来よりも細く、軽い支柱を使用することができるようになる。
【００１３】
この膨出部の断面を円形とすれば、その中にゴム製等の既製の円柱棒材をその中に挿入しやすくなる。例えば、図２（Ｃ）に示すように、スロットを持つゴム製の棒材１５を膨出部１２に挿入し、そのスロットに板材（側面板、背面板等）を差し込めば、上記同様の効果に加え、防音効果も期待できる。
【００１４】
第１発明のもう一つの特徴は、支柱の断面が略四角形であることである。これにより、その側面の辺同士で２本、３本、４本の支柱を揃えて固定することが容易となる。例えば、本発明に係る支柱は図４に示すようにパーティション用として用いることができるが、図５（Ａ）〜（Ｄ）に示すように２〜４本の支柱を束ねて固定することにより、連接パーティションを構成することができる。なお、このように複数本の支柱を束ねる場合は、連接用ブリッジを用いて各支柱の一端又は両端を固定する。このため、支柱の端部（一端又は両端）には、連接ブリッジ用のナット（ネジ穴）を固定しておくことが望ましい。その場合、図５に示すように、ナット４１は膨出部１２とその対辺との双方に接するようにして、両者に溶接等で固定することが望ましい。なお、このナット４１は、支柱の足１６（ローラ付きのものを含む）をねじ込むために用いてもよい。なお、図５（Ａ）から（Ｄ）において、それぞれ、右側が連接用ブリッジ４０であり、左側の各支柱１０の断面内に固定されたナット４１に対応するボルト穴４２を有している。
【００１５】
なお、１本の支柱だけで使用する場合も、図３に示すように、上端にキャップ３１を設けることが望ましい。この場合、キャップ３１の下面には、支柱１０の空洞部に丁度嵌合するような嵌合部を設けておき、キャップ３１を支柱１０の上端に確実に固定するようにしておくことが望ましい。
【００１６】
第２発明に係る跳ね上げ式収納扉機構では、扉板の後端両側に設けられた１対のローラが、上棚板の下面の両側辺に設けられた断面コの字状のレールの下側の辺の上を走行する。扉を開けるときは、両ローラが両レールの上を前方から後方に走行する。両ローラが両レールの後端（すなわち、上棚板の後端）に到達したとき、扉板は両側でレールの下側の辺により支えられ、上棚板の直下で水平に保持される。扉を閉じるときは、両ローラが両レールの上を後方から前方に走行し、前端に達したところで回転受け部に落ち込む。そこで扉板がローラにより回転可能となり、上棚板と下棚板の間の空間の前面を覆う。
【００１７】
第２発明に係る跳ね上げ式収納扉機構ではレールが上棚板に固定されるようになっているため、扉も上棚板に連結されることになる。従って、扉機構が側面板に設けられている場合と比較すると、本発明では上棚板＋扉機構を両側面板の間の任意の高さの位置に配置することができ、自由度の高いレイアウトを楽しむことができる。また、側面板にはネジ等の扉に関する機構が一切必要ないため、外観も美麗となる。
【００１８】
【実施例１】
本発明の第１の実施例として、単列スチール棚を図６〜図９により説明する。本実施例で使用する支柱１０は図１に示した断面及び正面形状を有し、厚さ０．８ｍｍのスチール製鋼板を曲げることにより製造されたものである。この支柱１０の凹部１１に、図２（Ｂ）に示すように端部を折り返したスチール鋼板から成る側面板１４の端部を挿入し、適宜箇所をスポット溶接することにより固定する。側面板１４の他方の端部にも支柱１０を固定し、これら２本の支柱１０とその間の側面板１４により側面板ユニットを作製する。
【００１９】
図６（Ａ）に示すように、このような側面板ユニット６０を２枚用意し、これらを左右に平行に立てて、両者の間を、Ｘ字状に交差させた２本のクロスバー６１により固定する。クロスバー６１は、組み立てが可能となるように、ネジにより支柱１０に固定する。なお、クロスバーの代わりに、板材（バックパネル）を用いて両側面板ユニット６０を固定するようにしてもよい。
【００２０】
側面板ユニット６０の適宜高さにおいて、両支柱１０間にサイドバー６２を渡し、両端を支柱１０に固定する。このサイドバー６２に、図７に示すように、棚板６３の側辺に固定した２個のフック６４を掛けることにより、棚板６３を両側面板ユニット６０の間に掛け渡す。これにより、図６（Ｂ）に示すようにスチール棚が完成する。なお、各支柱１０の下端には高さ調節機能付きの足６５を取り付ける。
【００２１】
側面板ユニット６０の面は上記の通りスチール鋼板から成るため、完成したスチール棚の側面にはマグネットフックを取り付けたり、マグネットタブレットによりメモ紙を挟んでおくことができる。
【００２２】
図８（Ａ）に示すように、サイドバー６２は側面板ユニット６０の両側に固定することができる。このような側面板ユニット６０Ｂを用いることにより、図８（Ｂ）に示すように、スチール棚を連接することができる。ユーザーは、両面タイプの側面板ユニット６０Ｂと棚板６３を買い増してゆくことによりスチール棚を任意に拡張することができるようになる。
【００２３】
【実施例２】
本発明の第２の実施例として、跳ね上げ式収納扉を有するスチール棚を図９及び図１０により説明する。本実施例のスチール棚の基本構造は図６に示した第１実施例のものと同じであるが、本実施例では、棚板６３に、上下棚板の間の空間の全面を覆う跳ね上げ式収納扉を設けている。
【００２４】
本実施例のスチール棚の跳ね上げ式収納扉は、図９（Ａ）に示すように、棚板６３の下面に取り付ける方式となっている。すなわち、棚板６３の両側辺の折り返し部分にそれぞれレール８１Ａ、８１Ｂを設ける。
【００２５】
レール８１Ａ、８１Ｂは、断面がコの字状となっている。前端（図９（Ａ）では右下端）は円筒状とされ、やや下方に垂下されて回転受け部８２Ａ、８２Ｂを構成している。
【００２６】
扉板８３は、棚板６３とほぼ同じ幅Ｗを有し、長さＬは上棚板と下棚板との間の間隔と等しくしておく。ただし、棚板６３の奥行き以下とすることが望ましい。扉板８３の後端両側には、１対のローラ８４Ａ、８４Ｂを設ける。また、前端には把手８６を設ける。
【００２７】
この跳ね上げ式収納扉の組み立ては次のようにして行う。まず、レール８１Ａ、８１Ｂを、その開口が共に内側を向くように、平行に配置する。両レール８１Ａ、８１Ｂの中に、扉板８３の両ローラ８４Ａ、８４Ｂを入れ、その後、両レール８１Ａ、８１Ｂを棚板６３の両側辺にネジにより固定する。その際、図９（Ｂ）に示すように、レール８１と棚板６３の間にＬ字状のワッシャ８５（８５Ａ、８５Ｂ）を介挿し、棚板６３側に納めておく。
【００２８】
こうして扉板８３を取り付けた棚板６３を、第１実施例と同様に、両側面板ユニット６０の間に掛け渡す。その後、左右のＬ字状ワッシャ８５Ａ、８５Ｂを回転して棚板６３の外側に出し、サイドバー６２の下に突出させる。これにより、棚板６３はフック６４とＬ字状ワッシャ８５によりサイドバー６２を上下から挟むことになるため、扉を開閉する際にも棚板６３（特にその後端）は上下に動くことなく、固定される。
【００２９】
こうして、図１０に示すように、跳ね上げ式収納扉付きのスチール棚が完成する。扉８３が開放されているときは、図１０の上段に示すように、上棚板６３の直下に収納されている。扉８３を閉めるときは、把手８６を持って扉８３を棚板６３に平行に引き出し、ローラ８４Ａ、８４Ｂがレール８１Ａ、８１Ｂの前端の回転受け部８２Ａ、８２Ｂに達して落ち込んだ後、下方に回転して、棚板６３の下方の空間の全面を覆う。なお、扉８３の内側又は下棚板の前面に、扉８３を閉めるときのショックや音を和らげるためのゴム製等のクッションを設けておくことが望ましい。
【００３０】
このように、本実施例のスチール棚では扉機構が上棚板の下に、しかもその折り返し部分に固定されているため、側面からはもちろん、棚の上からもネジ頭等が見えないため、すっきりした美麗な外観を呈することができる。
【００３１】
以上、本発明の実施例をいくつか示したが、本発明に係る支柱及び扉機構を用いることにより、その他に多様な組み合わせが可能である。
【図面の簡単な説明】
【図１】第１実施例に係るスチール棚用支柱の断面図（Ａ）、及び正面図（Ｂ）。
【図２】支柱に板材（側面板、背面板等）を挿入する各種方法の例を示す断面図。
【図３】支柱とその上端に付けるキャップの斜視図。
【図４】第１発明に係る支柱を用いて作製したパーティションの断面図（Ａ）及び正面図（Ｂ）。
【図５】２本〜４本の支柱を束ねる場合の各種配置例を示す、支柱の断面図及びそれに対応する連接ブリッジの平面図。
【図６】本発明の第１実施例のスチール棚の組み立て中の状態を示す斜視図（Ａ）、及び完成図（Ｂ）。
【図７】第１実施例のスチール棚の側面板ユニットと棚板との関係を示す拡大平面図（Ａ）、及び断面図（Ｂ）。
【図８】連接スチール棚を構成するための両面型側面板ユニットの構成を示す平面図（Ａ）及び連接スチール棚の正面図（Ｂ）。
【図９】本発明の第２実施例のスチール棚の跳ね上げ式収納扉の組み立て図（Ａ）、及びＬ字状ワッシャの説明図（Ｂ）。
【図１０】第２実施例の跳ね上げ式収納扉付スチール棚の完成斜視図。
【符号の説明】
１０…金属棚用支柱
１１…凹部
１２…膨出部
１３…板材
１４…薄板材
１５…棒材
１６…足
３１…キャップ
４０…連接用ブリッジ
４１…ナット
４２…ボルト穴
６０…側面板ユニット
６０Ｂ…両面型側面板ユニット
６１…クロスバー
６２…サイドバー
６３…棚板
６４…フック
６５…高さ調節機能付足
８１Ａ、８１Ｂ…レール
８２Ａ、８２Ｂ…回転受け部
８３…扉板
８４Ａ、８４Ｂ…ローラ
８５Ａ、８５Ｂ…Ｌ字状ワッシャ
８６…把手
【図１】
2004154342.tif 000003
【図２】
2004154342.tif 000004
【図３】
2004154342.tif 000005
【図４】
2004154342.tif 000006
【図５】
2004154342.tif 000007
【図６】
2004154342.tif 000008
【図７】
2004154342.tif 000009
【図８】
2004154342.tif 000010
【図９】
2004154342.tif 000011
【図１０】
2004154342.tif 000012